(57)【要約】【課題】無線LAN設定情報を音響的又は光学的に伝送することで、SSIDのみならずKEYも伝送し、無線LAN設定を容易化する。【解決手段】無線LANインタフェース１０１は、無線信号を送受信する。通信制御部１０２は、無線LANインタフェース１０１から送信される無線信号を暗号化すると共に、無線LANインタフェース１０１で受信される無線信号を復号する。メモリ領域１０３において、無線LAN設定情報保持部１０３ａには、無線LAN設定情報として、当該無線APに固有のネットワーク名SSIDならびに暗号鍵KEYおよび暗号方式が予め保持されている。制御部１０４は、当該無線APの主要動作を制御する。無線APは前記ネットワーク名SSIDおよび暗号鍵KEYを固有の音響信号または光学信号に変調して出力する。【選択図】図２
2017103803.tif 000002
【特許請求の範囲】
【請求項１】
無線LAN端末との間に無線LAN接続を確立する無線LANアクセスポイントにおいて、
無線LAN設定情報としてSSIDおよびKEYを記憶する手段と、
前記SSIDおよびKEYを音響信号に変調する手段と、
前記音響信号を出力する手段とを具備したことを特徴とする無線LANアクセスポイント。
【請求項２】
無線LAN端末との間に無線LAN接続を確立する無線LANアクセスポイントにおいて、
無線LAN設定情報としてSSIDおよびKEYを記憶する手段と、
前記SSIDおよびKEYを光学信号に変調する手段と、
前記光学信号を出力する手段とを具備したことを特徴とする無線LANアクセスポイント。
【発明の詳細な説明】
【技術分野】
【０００１】
本発明は、無線LANアクセスポイントに係り、特に、無線LAN設定情報としてSSIDのみならずKEYも音響的又は光学的に伝送することで無線LAN設定を容易化できる無線LANアクセスポイントに関する。
【背景技術】
【０００２】
近年、スマートフォン、携帯ゲーム機あるいはデジタルフォトフレーム等に代表される無線LAN端末が急速に普及している。これらの無線LAN端末を利用する際には、利用者が予め用意した無線LANアクセスポイント（無線AP）との接続設定を実施する必要がある。この接続設定は無線LAN設定と呼ばれ、次のような設定情報が無線LAN端末に登録される。
【０００３】
(1)無線APが持つSSID(Service Set Identifier：アクセスポイントを一意に識別するID
【０００４】
(2)暗号方式
【０００５】
(3)暗号鍵／パスワード(KEY)
【０００６】
しかしながら、これらの設定情報を無線LAN端末に設定するためには、無線LANに関する専門知識が必要となるため、不慣れな利用者にとっては簡単な操作ではなかった。
【０００７】
このような技術課題に対して、非特許文献１には、設定操作を自動化して利用者の負担を軽減する技術が開示されている。非特許文献１では、無線APが具備するボタンを操作することで、無線APが仮の設定情報で無線LAN端末と通信路を確立することを許容するモード(設定モード)に移行し、その間に無線LAN端末は、仮の設定情報を用いて無線APに一時的に接続し、この無線LAN通信路を使って、無線APから通常用の設定情報を取得する。その後、取得した通常用の設定情報を用いた無線APへの再接続により、無線LANの利用(通信)が可能になる。
【０００８】
図１３は、非特許文献１による無線LAN設定の手順を示したシーケンスフローであり、スマートフォンなどの被設定端末（無線LAN端末）には、設定用通信路を確立するための第１設定情報として、全端末に共通のSSID1、KEY1および暗号方式が予め登録されている。無線APなどの設定端末には、SSID1、KEY1および暗号方式と共に、通常通信路を確立するための第２設定情報として、各端末に固有のSSID2、KEY2および暗号方式が予め登録されている。
【０００９】
手順S1では、設定端末が具備するボタンを利用者が押下操作等することにより、当該設定端末に対して設定の開始が要求される。なお、ボタン操作の代わりに画面表示等が利活用される場合もある。ボタン操作された設定端末では、動作モードが「通常モード」から「設定モード」に変更される。
【００１０】
手順S2では、利用者が被設定端末を操作して設定開始を要求する。この要求操作には、物理ボタンやソフトウェアボタン等を利用できる。
【００１１】
手順S3，S4では、被設定端末において、予め保持されているSSID1およびKEY1が自身に設定登録される。なお、KEY1は全設定端末に共通の文字列で構成される。
【００１２】
手順S5では、被設定端末が前記SSID1およびKEY1を用いて一時的に設定端末に接続することで設定用の仮通信路が確立される。
【００１３】
手順S6では、被設定端末から設定端末へ、前記仮通信路を用いて設定開始の指示が送信される。
【００１４】
手順S7では、設定端末において、前記設定開始指示の受信に応答して被設定端末のMACアドレスが読み取られる。
【００１５】
手順S8では、設定端末から被設定端末へ、通常モード時に利用するSSID2およびKEY2の設定情報が送信される。
【００１６】
手順S9では、被設定端末から設定端末へ、前記設定情報の正常受信を通知するための受信確認データが送信される。
【００１７】
手順S10では、設定端末において、被設定端末からの受信確認データの受信に応答して、被設定端末のMACアドレスが設定端末自身に登録される。
【００１８】
手順S11では、設定端末から被設定端末へ、前記MACアドレスの登録を完了したことを被設定端末に通知するための端末MACアドレス登録完了データが送信される。
【００１９】
手順S12，S13では、被設定端末において、前記端末MACアドレス登録完了データの受信に応答して、前記手順S8で取得したSSID2およびKEY2の設定が実行される。
【００２０】
一方、非特許文献２には、被設定端末に対して、当該端末の開発業者により無線LANの設定方法に制限を設ける技術が開示されている。非特許文献２では、無線LAN設定に必要なSSIDやKEYなどの設定情報が、開発業者により独自に規定されたフォーマットで記述されたファイル(以下、プロファイルと呼ぶ)としてネットワーク上のサーバに保持されている。被設定端末の利用者は、Webブラウザから前記サーバにアクセスしてプロファイルを取得する。また、被設定端末には、当該プロファイルを自動でインストールするプログラムが予め実装されており、前記プロファイルが取得されると、当該プログラムが起動されて前記プロファイルをインストールすることで、前記各設定情報が登録される。
【００２１】
図１４は、非特許文献２による無線LAN設定の手順を示したシーケンスフローであり、サーバ等から構成される設定端末には、無線LANの設定情報(SSID、KEYおよび暗号方式)の記述されたプロファイルが予め保持されている。
【００２２】
手順U1では、スマートフォン等の被設定端末において、第三者からのメールによる通知や、利用者がWebサーバへの接続方法が掲載されたホームページなどを閲覧するなどの方法を利用して、設定情報を含んだプロファイルを管理する設定端末へのURL、IPアドレスあるいはリンク(以下、URLで代表する)などが取得される。
【００２３】
手順U2では、被設定端末において、利用者の操作に応答して設定端末のURLに接続要求が送信される。
【００２４】
手順U3では、設定端末から被設定端末へ、前記要求されたURLのWebページが応答される。
【００２５】
手順U4では、被設定端末において、前記要求したURLから応答されたWebページを受信する。このとき、利用者は受信したWebページの内容を確認することで、信頼できる設定端末からのWebページであることを確認することができる。そのため、利用者の意図しない設定端末の設定情報を受信することを防止でき、セキュリティを担保することも可能である。
【００２６】
手順U5では、被設定端末において、そのディスプレイ上に表示された設定情報を取得するためのリンク先にアクセスすることで、無線LANアクセスポイントの設定情報を含んだプロファイルが保持されているURLに接続する。
【００２７】
手順U6では、設定端末において、前記要求されたURLに保持されている、無線LAN設定情報の記述されたプロファイルが応答される。
【００２８】
手順U7では、被設定端末において、前記設定端末から受信したプロファイルをインストールすることで、当該被設定端末に無線LANの設定情報が登録される。
【先行技術文献】
【非特許文献】
【００２９】
【非特許文献１】1 AOSS(Air Station One-Touch Secure System)；(http://www.buffalotech.com/files/AOSS_WP_Final.pdf)
【非特許文献２】iPhone(登録商標)構成プロファイル；(http://developer.apple.com/jp/devcenter/ios/library/documentation/FA_iPhone_Configuration_Utility.pdf)
【発明の概要】
【発明が解決しようとする課題】
【００３０】
非特許文献１に開示された技術を利用すれば、無線LAN設定の操作を簡単化できるが、非特許文献２の技術により無線LANの設定方法に制限が設けられた被設定端末に対しては、非特許文献１に開示された技術を適用して無線LAN設定の操作を簡単化することができなかった。
【００３１】
本発明の目的は、上記の技術課題を解決し、無線LAN設定情報としてSSIDのみならずKEYも音響的又は光学的に伝送することで無線LAN設定を容易化できる無線LANアクセスポイントを提供することにある。
【課題を解決するための手段】
【００３２】
上記の目的を達成するために、本発明の無線LANアクセスポイントは、以下の構成を発明特定事項とした点に特徴がある。
【００３３】
(1) 無線LAN設定情報としてSSIDおよびKEYを記憶する手段と、前記SSIDおよびKEYを音響信号に変調する手段と、前記音響信号を出力する手段とを具備した。
【００３４】
(2) 無線LAN設定情報としてSSIDおよびKEYを記憶する手段と、前記SSIDおよびKEYを光学信号に変調する手段と、前記光学信号を出力する手段とを具備した。
【発明の効果】
【００３５】
公衆に無線LANアクセスを無料で提供するホットスポット等を除き、無線LANアクセスポイントがビーコンパケットで広報するのはSSIDのみで、KEYについてはセキュティ上の要請から秘密扱いされ、ビーコンパケットでは広報されない。したがって、無線LAN端末のユーザは別途にKEY入力の操作を強いられることになる。
【００３６】
しかしながら、本発明は上記の各構成を備え、無線LAN設定情報を音響的又は光学的に伝送するので、従来技術のように無線通信で伝送する場合に比べて、壁や窓などの障害物に対する透過性を低下させることができ、伝送範囲を室内等の空間内に限定することが可能になる。
【００３７】
したがって、SSIDをKEYと共に広報しても、室外の無関係な第三者がこれを受信して不正アクセスするといった心配を軽減できる。その結果、本発明によれば、実質的にセキュティを低下させることなく、ユーザをKEY入力の操作から解放できるという特有の作用効果を奏することができる。
【図面の簡単な説明】
【００３８】
【図１】本発明が適用される無線LANの構成を示した図である。
【図２】無線LANアクセスポイントの構成を示した機能ブロック図である。
【図３】無線端末MN（被設定端末）の構成を示した機能ブロック図である。
【図４】第１の無線LANシステムにおける設定端末の機能ブロック図である。
【図５】第１の無線LANシステムにおける無線LAN設定手順のシーケンスフローである。
【図６】第２の無線LANシステムにおける無線端末MNの機能ブロック図である。
【図７】第２の無線LANシステムにおける無線端末MNの表示パネルの表示例を示した図である。
【図８】第２の無線LANシステムにおける無線LAN設定手順のシーケンスフローである。
【図９】第３の無線LANシステムにおける無線LAN設定手順のシーケンスフローである。
【図１０】第３の無線LANシステムにおける無線端末MNの画面表示例を示した図である。
【図１１】第３の無線LANシステムにおける無線LAN設定情報の取得手順を示したシーケンスフローである。
【図１２】第３の無線LANシステムにおけるWebプログラムの一部を示した図である。
【図１３】非特許文献１の無線LAN設定手順を示したシーケンスフローである。
【図１４】非特許文献２の無線LAN設定手順を示したシーケンスフローである。
【発明を実施するための形態】
【００３９】
以下、図面を参照して本発明の実施の形態について詳細に説明する。図１は、本発明が適用されるネットワークの構成を示した図であり、ここでは、被設定端末（無線LAN端末）としての無線端末MNが無線LANアクセスポイント（無線AP）に対して無線LAN接続するための無線LAN設定を、ネットワーク上に設けられた設定端末（無線LAN設定端末）から無線端末MNに対して行う場合を例にして説明する。
【００４０】
無線端末MNは、IEEE 802.11規格に準拠した無線LANインタフェースを含む複数の有線および／または無線の通信インタフェースを備える。無線APには、無線LAN接続用のネットワーク名(SSID)および暗号鍵(KEY)を含む無線LAN設定情報が記憶されると共に、当該無線LAN設定情報の印刷されたシールが無線APの筐体、取扱説明書、保証書あるいは当該無線APが設置される居室内の壁等の適所に貼り付けられている。
【００４１】
図２は、第１の無線LANシステムにおける無線APの主要部の構成を示した機能ブロック図であり、ここでは、本発明の説明に不要な構成は図示が省略されている。
【００４２】
無線LANインタフェース１０１は、無線信号を送受信する。通信制御部１０２は、無線LANインタフェース１０１から送信される無線信号を暗号化すると共に、無線LANインタフェース１０１で受信される無線信号を復号する。メモリ領域１０３において、無線LAN設定情報保持部１０３ａには、無線LAN設定情報として、当該無線APに固有のネットワーク名SSIDならびに暗号鍵KEYおよび暗号方式が予め保持されている。制御部１０４は、当該無線APの主要動作を制御する。
【００４３】
図３は、前記無線端末MNの主要部の構成を示した機能ブロック図であり、ここでも、本発明の説明に不要な構成は図示が省略されている。
【００４４】
無線LANインタフェース２０１は、無線信号を送受信する。通信制御部２０２は、前記無線LANインタフェース２０１から送信される無線信号を暗号化すると共に、無線LANインタフェース２０１で受信される無線信号を復号する。UI部２０３は、利用者の操作を受け付けるタッチスイッチ（SW）２０３ａおよび表示パネル２０３ｂを含み、表示パネル２０３ｂに表示されたアイコンやスイッチがタッチされると、これがタッチSW２０３ａにより検知されるように構成されている。
【００４５】
通信インタフェース２０５は、EV-DOやLTEなどの無線信号を送受信する。通信制御部２０６は、前記通信インタフェース２０５から送信される無線信号を暗号化すると共に、通信インタフェース２０５で受信される無線信号を復号する。デジタルカメラ機能部２０７は、画像センサ（図示省略）で検知されたセンサ情報（ここでは、画像信号）に基づいてカメラ画像を生成する。ROM２０８には、各種のプログラムや制御データが予め格納されている。RAM２０９は、制御部２０４にワークエリアを提供する。
【００４６】
図４は、前記設定端末の主要部の構成を示した機能ブロック図であり、ここでも、本発明の説明に不要な構成は図示が省略されている。
【００４７】
通信インタフェース３０１は、ネットワーク経由でデータを送受信する。制御部３０２において、文字列認識部３０２ａは、無線端末MNからネットワーク経由で受信されるカメラ画像からSSIDおよびKEYの文字列を認識する。プロファイル生成部３０２ｂは、前記SSIDおよびKEYを無線端末MNに設定するためのファイルやソフトウェア（以下、「プロファイル」で総称する）を作成する。プロファイル応答部３０２ｃは、前記カメラ画像を送信した無線端末MNに対して、前記生成されたプロファイルを応答する。
【００４８】
図５は、第１の無線LANシステムにおける無線LAN設定手順を示したシーケンスフローであり、時刻t1では、端末ユーザの操作に応答して無線端末MNのデジタルカメラ機能部２０７が起動される。時刻t2では、表示パネル２０３ｂにカメラ画像が表示される。時刻t3，t4では、無線APの筐体等に貼り付けられている無線LAN設定情報が端末ユーザの操作により撮影されて一時記憶される。
【００４９】
時刻t5において、端末ユーザが設定端末のアドレスを指定して前記カメラ画像の送信を指示すると、時刻t6では、前記カメラ画像が設定端末へ送信される。前記無線LAN設定情報は、SSIDおよびKEYの文字列で表示される他、これらの文字列を一次元コードや二次元コードに符号化した表示であっても良い。
【００５０】
時刻t7では、設定端末の文字列認識部３０２ａにおいて、前記受信された無線LAN設定情報のカメラ画像からSSIDおよびKEYの文字列が認識または復号される。時刻t8では、前記プロファイル生成部３０２ｂにおいて、前記認識または復号されたSSIDおよびKEYを無線端末MNに設定するためのプロファイルが作成される。時刻t9では、前記プロファイル応答部３０２ｃにより、前記作成されたプロファイルが前記無線端末MNへ応答される。
【００５１】
時刻t10では、前記プロファイルが無線端末MNにより受信されてインストールされ、前記SSIDおよびKEYを含む無線LAN設定情報がRAM２０９の所定領域に登録される。これにより無線LAN設定が完了し、時刻t11では、無線LAN設定が完了した旨のメッセージが表示パネル２０３ｂに表示されてユーザへ通知される。
【００５２】
なお、上記の無線LANシステムでは、無線LAN設定情報がSSIDおよびKEYの文字列、またはこれらを符号化したコード情報等の画像情報であるものとして説明したが、本発明はこれのみに限定されるものではなく、無線APまたはその設置環境を、当該無線APのSSIDおよびKEYを固有の音響信号に変調して出力できるように構成すれば、この音響信号を無線端末MNがマイクロフォンで検知して録音し、このセンサ情報を無線LAN設定情報として送信する一方、設定端末では、取得したセンサ情報（ここでは、音響信号）からSSIDおよびKEYを復調してプロファイルを生成するようにしても良い。
【００５３】
このように、無線LAN設定情報を音響信号として取得できるようにすれば、例えば企業の会議室毎または学校の教室毎に固有の無線LAN設定が必要となる場合でも、会議室内または教室内に無線APのSSIDおよびKEYに固有の音響信号を都度出力し、各無線端末が当該音響信号を設定端末へ送信するようにすれば、無線LAN設定を簡単に行えるようになる。この際、可聴域の周波数帯から外れた帯域の音響信号を採用すれば、実質的に静かな環境を維持したまま無線LAN設定を行えるようになる。
【００５４】
同様に、無線APまたはその設置環境を、当該無線APのSSIDおよびKEYを固有の光学信号（例えば、赤外線）に変調して出力できるように構成すれば、この光学信号を無線端末MNが光学センサで検知して記録し、このセンサ情報を無線LAN設定情報として送信する一方、設定端末では、取得したセンサ情報（ここでは、光学信号）からSSIDおよびKEYを復調してプロファイルを生成するようにしても良い。
【００５５】
さらに、無線LAN設定情報を画像情報として取得する場合も、上記の無線LANシステムでは、SSIDおよびKEYを含む画像情報が撮影されるものとして説明したが、本発明はこれのみに限定されるものではなく、無線APがWi-Fiスポットのような公衆無線基地局の場合には、当該無線APの設置場所周辺の景色画像やランドマークの画像など、SSIDやKEYを含まない画像を撮影して送信するようにしても良い。
【００５６】
この場合、予め無線APの設置場所周辺の景色画像やランドマーク画像（建物、彫刻、絵画など）などとSSIDおよびKEYとの対応関係を設定端末へ登録しておき、無線端末MNが周辺環境を撮影して設定端末へ送信すると、当該画像またはその画像特徴量と紐付けられているSSIDおよびKEYが検索されてプロファイルが生成、応答されるようにすれば良い。
【００５７】
このようにすれば、例えば東京タワー近傍のWi-Fiスポットへの接続を望む場合は、東京タワーを撮影し、そのカメラ画像を設定端末へ送信すれば、東京タワーと予め紐付けられているSSIDおよびKEYが検索されてプロファイルが生成、応答される。
【００５８】
さらに、上記の無線LANシステムでは、無線LAN設定情報が一組のSSIDおよびKEYであるものとして説明したが、通信方式（例えば、通信帯域が2.4GHz／5.0GHz）ごとに異なるSSIDおよびKEYのペアが取得されている場合には、これらを全て無線LAN設定情報として送信し、設定端末では、当該複数のSSIDおよびKEYのペアと共に受信される無線端末MNの機種情報等に基づいて当該無線端末MNの能力を識別する。
【００５９】
そして、無線端末MNが例えば2.4GHzの無線LANチャネルのみに対応していれば、当該2.4GHzに対応したSSIDおよびKEYのペアに基づいてプロファイルを生成する一方、2.4GHzおよび5.0GHzの両方に対応していれば5.0GHzに対応したSSIDおよびKEYのペアに基づいてプロファイルを生成するようにしても良い。あるいは、設定端末では2.4GHz用および5.0GHz用のプロファイルを生成していずれも応答し、無線端末MNにおいて一方を選択するようにしても良い。
【００６０】
このように、複数のSSIDおよびKEYのペアのいずれかを無線端末MNの機種情報に基づいて選択し、そのプロファイルを生成するようにすれば、「2.4GHzに対応するアクセスポイントのほうが主流であるために無線干渉が起こりやすい。一方で5GHzのほうが傍流であるために無線干渉が少ない」という背景から、5GHzに対応した無線端末MNには5GHz用のプロファイルを優先して応答することで、無線干渉を避ける事ができるという特有の効果が期待できる。
【００６１】
第１の無線LANシステムによれば、被設定端末としての無線端末MNが、デジタルカメラ機能、カメラ画像を送信する機能、および無線LAN設定情報のプロファイルを受信して自身にインストールする機能といった、一般的な携帯電話、スマートフォンあるいはノートPCであれば標準装備されている機能さえ備えていれば、端末ユーザに煩雑な操作を要求することなく、無線端末MNに対して無線LAN設定を簡単かつ正確に行えるようになる。
【００６２】
また、第１の無線LANシステムによれば、各無線APに固有の無線LAN設定情報を撮影できなくても、その周辺の景色画像やランドマーク画像を撮影して送信することによっても無線LAN設定が可能になるので、無線LAN設定情報の表示場所を特定できないWi-Fiスポットへの無線LAN接続も容易になる。
【００６３】
上記の第１の無線LANシステムでは、無線端末MNから設定端末へ無線LAN設定情報のカメラ画像が送信され、設定端末においてSSIDおよびKEYの文字列が認識されるものとして説明したが、本発明はこれのみに限定されるものではなく、無線端末MN側でこれらの処理が行われるようにしても良い。
【００６４】
図６は、第２の無線LANシステムにおける無線端末MNの主要部の構成を示した機能ブロック図であり、前記と同一の符号は同一または同等部分を表しているので、その説明は省略する。
【００６５】
制御部２０４において、文字列認識部２０４ａは、デジタルカメラ機能部２０７により撮影された無線LAN設定情報のカメラ画像からSSIDおよびKEYの文字列を認識する。文字列候補出力部２０４ｂは、図７に一例を示したように、SSIDおよびKEYの認識結果のうち、尤度の高い上位Nベストを文字列候補として表示パネル２０３ｂへ一覧表示する。文字列決定部２０４ｃは、ユーザの入力操作により指定された一つのSSIDおよびKEYを無線LAN設定情報の文字列に決定する。ここでは、SSIDとして「abcde」が選択され、KEYとして「1234」が選択されている。文字列送信部２０４ｄは、前記選択された文字列を前記設定装置へ送信する。
【００６６】
図８は、第２の無線LANシステムにおける無線LAN設定手順を示したシーケンスフローであり、時刻t1では、端末ユーザの操作に応答して無線端末MNのデジタルカメラ機能部２０７が起動される。時刻t2では、表示パネル２０３ｂにカメラ画像が表示される。時刻t3，t4では、無線APの筐体等に貼り付けられている無線LAN設定情報が端末ユーザにより撮影される。
【００６７】
時刻t5では、前記文字列認識部２０４ａにおいて、前記無線LAN設定情報のカメラ画像からSSIDおよびKEYの文字列が認識される。時刻t6では、前記文字列候補出力部２０４ｂにより、図７に一例を示したように、SSIDおよびKEYの認識結果のうち、尤度の高い上位Nベストが文字列候補として表示パネル２０３ｂへ出力される。
【００６８】
時刻t7では、前記SSIDの文字列候補およびKEYの文字列候補の中から、正しいSSIDおよびKEYがユーサの操作により選択される。時刻t8では、前記選択されたSSIDおよびKEYの文字列が、無線LAN設定情報として文字列送信部２０４ｄにより設定端末へ送信される。
【００６９】
時刻t9では、前記無線LAN設定情報の文字列を受信した設定端末において、当該SSIDおよびKEYを無線端末MNに設定するためのプロファイルが作成される。時刻t10では、前記プロファイルが無線端末MNへ応答される。
【００７０】
時刻t11では、前記プロファイルが無線端末MNにより受信されてインストールされ、前記SSIDおよびKEYを含む無線LAN設定情報がRAM２０９の所定領域に登録される。無線LAN設定が完了すると、時刻t12では、無線LAN設定が完了した旨のメッセージが表示パネル２０３ｂに表示されてユーザへ通知される。
【００７１】
なお、上記の第２の無線LANシステムでは、SSIDおよびKEYごとに一覧表示される文字列候補が、文字認識時の尤度に基づいて、その上位の文字列から選択されるものとして説明したが、本発明はこれのみに限定されるものではなく、経験上、誤認識されやすい文字ペア（例えば、数字の「９」とアルファベットの「q」）を予め学習させておき、尤度とは無関係または尤度も考慮して、文字認識における最尤の文字列候補と誤認識され易い複数の文字列候補を前記文字ペアに基づいて作成し、これらが一覧表示されるようにしても良い。
【００７２】
さらに、上記の第２の無線LANシステムでは、SSIDおよびKEYの認識が無線端末MNにおいて行われるものとして説明したが、本発明はこれのみに限定されるものではなく、第１の無線LANシステムと同様に、設定端末側で行われるようにしても良い。この場合は、設定端末がSSIDおよびKEYごとに複数の文字列候補を含むプロファイルを生成して無線端末MNへ応答し、無線端末MNでは、受信したプロファイルに含まれるSSIDおよびKEYの文字列候補を一覧表示してユーザに選択させるようにすれば良い。
【００７３】
第２の無線LANシステムによれば、無線線LAN設定情報を撮影したカメラ画像からSSIDおよびKEYの文字列を認識する処理が各無線端末MNで実行されるので、文字認識に係る負荷が設定端末へ集中せず、各無線端末MNへ分散されるようになる。したがって、多数の無線端末MNに対して集中的に無線LAN設定を行わなければならない状況下でも、設定端末に輻輳が生じず、各無線LAN設定を短時間で行えるようになる。
【００７４】
上記の各無線LANシステムでは、無線端末MNにおける無線LAN設定情報のカメラ撮影およびカメラ画像の送信に際して、無線端末MNのユーザにデジタルカメラ機能の起動操作やカメラ画像の送信操作が強いられていた。したがって、ユーザがデジタルカメラ機能を起動させられないような場合には無線LAN設定を行えなかった。これに対して、第３の無線LANシステムでは、これらの一連の設定動作がWebプログラム化され、端末ユーザの操作が更に簡単化されるようにした点に特徴がある。
【００７５】
図９は、第３の無線LANシステムにおける無線LAN設定手順を示したシーケンスフローであり、図１０は、無線端末MNの表示パネルに出力される操作画面やメッセージの例を示した図である。
【００７６】
無線端末MNの表示パネル２０３ｂには、初期画面として、図１０(a)に示したように、Web APIを利用するソフトウェアやブックマークアイコンが表示されている。図９の時刻t1において、前記アイコンがユーザによりタップされ、これが無線端末MNにより検知されると、Web APIを利用するソフトウェアが起動される。
【００７７】
時刻t2では、無線端末MNの表示パネル２０３ｂに、図１０(b)に示したように、無線LAN設定のための接続先のアドレス(URL)を入力するフィールドやアドレスを入力するためのキーボードが出現する。あるいは、図１０(c)に示したように、アドレス選択を促す画面が表示されるようにしても良い。
【００７８】
時刻t3では、ユーザがUI部２０３を操作することでアドレス入力またはアドレス選択が行われる。第３の無線LANシステムでは、接続先の情報として、無線APの取扱説明書を保存している取扱説明掲載端末（サーバ）のアドレスが登録されているものとする。
【００７９】
時刻t4，t5では、無線端末MNが宛先の取扱説明掲載端末へアクセスして接続要求を送信することにより、取扱説明掲載端末のWebページが取得される。時刻t6では、図１０(d)に示したように、無線端末MNの表示パネル２０３ｂに取扱説明掲載端末のWebページが表示される。このWebページには、無線LAN設定を開始するための選択部が設けられている。
【００８０】
時刻t7では、ユーザが前記無線LAN設定を開始するための選択部をクリック等することで、無線LAN設定の開始が指示される。この選択部には、設定端末の接続先アドレスが紐付けられており、時刻t8では、無線端末MNから設定端末へ接続要求が送信される。時刻t9では、設定端末が前記接続要求に対してWebページを応答する。このWebページには、無線LAN設定用のプログラム（Webプログラム）が組み込まれている。
【００８１】
時刻t10では、無線端末MNのブラウザが起動され、図１０(e)に示したように、無線端末MNの表示パネル２０３ｂにWebページが表示される。時刻t11では、ユーザがWebページ上の無線LAN設定実行の選択部をクリック等することで無線LAN設定の開始が指示される。
【００８２】
時刻t12では、無線端末MNのブラウザ上で実行されるWebプログラムにより、無線APに登録されている無線LAN設定情報が読み取られる。時刻t13では、前記読み取られた無線LAN設定情報が前記Webページにより設定端末へ送信される。
【００８３】
前記無線LAN設定情報の読み取りは、例えば無線端末MNに実装されているデジタルカメラ機能により、無線APの筐体に貼り付けられているシールに印刷、刻印されているSSIDおよびKEYを撮影することにより行われる。あるいは、無線APのIPアドレスへアクセスし、当該無線APのメモリ領域に登録されているSSIDおよびKEYを取得することにより行われる。
【００８４】
図１１は、前記デジタルカメラを利用した無線LAN設定情報の取得手順を示したシーケンスフローである。
【００８５】
時刻t51では、前記Webページに組み込まれたWebプログラムによりカメラ機能の起動が指示される。時刻t52では、Webプログラムの指示に応答して無線端末MNのカメラ機能が起動される。時刻t53では、ユーザが無線端末MNのカメラを操作することで無線LAN設定情報が撮影される。
【００８６】
時刻t54では、前記撮影されたカメラ画像がブラウザのメモリ領域に一時的に保存される。時刻t55では、前記Webプログラムによりカメラ画像の送信が指示される。時刻t56では、前記Webプログラムにより、ブラウザのメモリに一次的に保存されているカメラ画像が取得される。時刻t57では、前記カメラ画像が通信インタフェース２０５へ提供され、当該通信インタフェース２０５から前記設定端末へ送信される。
【００８７】
図１２は、前記カメラ機能の自動起動およびカメラ画像の自動送信を実現するWebプログラムの一部を示した図であり、2行目プログラムインタフェースを利用することで、カメラ機能の起動が可能となり、3行目のプログラムインタフェースを利用することで、撮影したカメラ画像の送信が可能になる。
【００８８】
なお、無線端末MNから設定端末へ送信される情報はカメラ画像に限定されるものではなく、上記の第２の無線LANシステムのように、無線端末MNが無線LAN設定情報のカメラ画像からSSIDおよびKEYの文字列を認識する機能を備えるならば、文字列の認識結果が送信されるようにしても良い。
【００８９】
図９へ戻り、時刻t14では、前記Webページに組み込まれているカメラ画像または文字列に基づいて無線LAN設定用のプロファイルが生成される。時刻t15では、前記生成されたプロファイルが無線端末MNへ応答される。時刻t16では、無線端末MNにおいて前記プロファイルが受信され、表示パネル２０３ｂには、図１０(f)に示したように、無線端末MNで読取り可能なファイルやソフトウェアを無線端末MNに登録するための許諾選択部が表示される。
【００９０】
ここで、ユーザが許諾選択部をクリックすると、前記プロファイルのインストールが開始されて無線LAN設定情報が登録される。時刻t17では、無線LAN設定の登録完了メッセージが表示パネル２０３ｂに表示され、一連の無線LAN設定処理が完了する。
【００９１】
第３の無線LANシステムによれば、無線LAN設定の手順がWebアプリケーションにより時系列で自動的に進行するので、端末ユーザはWebアプリケーションからの指示に従うだけで無線LAN設定を更に簡単かつ確実に行えるようになる。
【００９２】
なお、上記の各無線LANシステムでは、無線端末MNで撮影されたカメラ画像または当該カメラ画像から認識されたSSIDおよびKEYの文字列が、無線LANインタフェース２０１以外の無線または有線の通信インタフェース２０５から設定端末へ送信されるものとして説明した。
【００９３】
しかしながら、本発明はこれのみに限定されるものではなく、例えば、無線LANインタフェース２０１が前記無線AP以外の他の無線APと既に無線LAN接続されており、今回、前記無線APとの間に無線LAN接続を追加するような場合であれば、無線LANインタフェース２０１から前記他の無線AP経由で前記設定端末へカメラ画像や文字列を送信するようにしても良い。
【００９４】
また、上記の無線LANシステムでは、無線LAN端末への無線LAN設定を例にして説明したが、本発明はこれのみに限定されるものではなく、図書館などのサービスを利用するための認証用IDやBluetooth（登録商標）のパスキーなどを無線端末MNへ設定する場合にも同様に適用できる。すなわち、無線端末が認証用IDや認証コードなどのセンサ情報を上記と同様に取得して配布サーバへ送信すると、配布サーバでは、当該認証用IDや認証コードを無線端末MNへ設定するためのプロファイルが作成され、これを無線端末MNへ応答してインストールさせることで認証用IDや認証コードが自動設定されるようにしても良い。
【符号の説明】
【００９５】
１０１…無線LANインタフェース，１０２，２０２…通信制御部，１０３…メモリ領域，１０４，２０４…制御部，２０１…無線LANインタフェース，２０３…UI部，２０３ａ…タッチスイッチ（SW），２０３ｂ…表示パネル，２０５…通信インタフェース，２０６…通信制御部，２０７…デジタルカメラ機能部，２０８…ROM，２０９…RAM，３０２ａ…文字列認識部，３０２ｂ…プロファイル生成部，３０２ｃ…プロファイル応答部
【図１】
2017103803.tif 000003
【図２】
2017103803.tif 000004
【図３】
2017103803.tif 000005
【図４】
2017103803.tif 000006
【図５】
2017103803.tif 000007
【図６】
2017103803.tif 000008
【図７】
2017103803.tif 000009
【図８】
2017103803.tif 000010
【図９】
2017103803.tif 000011
【図１０】
2017103803.tif 000012
【図１１】
2017103803.tif 000013
【図１２】
2017103803.tif 000014
【図１３】
2017103803.tif 000015
【図１４】
2017103803.tif 000016